(57)【要約】【課題】  使い易さと、調整のし易さに優れたビューファインダーを有する撮像装置を提供することである。【解決手段】  本体と、物体像が表示される表示部、前記表示部の像を観察者の眼に導く接眼光学系、及び、前記接眼光学系の観察者側に配置される接眼部の３つの部材を少なくとも有するビューファインダーと、前記３つの部材の少なくとも１つを移動させる移動手段と、該移動手段を制御する制御手段を備えた撮像装置であって、前記３つの部材の少なくとも１つは、光軸方向にそれぞれ移動可能に構成され、前記制御手段は、前記撮像装置のメイン電源をＯＮにしたとき、前記３つの部材の固定状態を解除し、前記撮像装置のメイン電源をＯＦＦにしたとき、前記３つの部材の少なくとも１つを第１の所定位置に移動させる。【選択図】図１
2009284122.tif 000002
【特許請求の範囲】
【請求項１】
本体と、
物体像が表示される表示部、前記表示部の像を観察者の眼に導く接眼光学系、及び前記接眼光学系の観察者側に配置される接眼部の３つの部材を少なくとも有するビューファインダーと、
前記３つの部材の少なくとも１つを移動させる移動手段と、
該移動手段を制御する制御手段を備えた撮像装置であって、
前記３つの部材の少なくとも１つは、光軸方向に移動可能に構成され、
前記制御手段は、前記撮像装置のメイン電源をＯＮにしたとき、前記３つの部材の固定状態を解除し、前記撮像装置のメイン電源をＯＦＦにしたとき、前記３つの部材の少なくとも１つを第１の所定位置に移動させる
ことを特徴とする撮像装置。
【請求項２】
前記第１の所定位置は、前記本体に対して前記３つの部材の少なくとも１つを収納させる位置であることを特徴とする請求項１に記載の撮像装置。
【請求項３】
前記３つの部材は、一体で光軸方向に移動する
ことを特徴とする請求項１又は請求項２に記載の撮像装置。
【請求項４】
前記固定状態が解除された前記３つの部材を、更に移動させるための調整を行う調整手段を有し、
前記制御手段は、該調整手段からの前記信号により、前記３つの部材を第２の所定位置に移動させる
ことを特徴とする請求項１乃至請求項３のいずれか１つに記載の撮像装置。
【請求項５】
前記調整手段が、観察者によって操作される操作部である
ことを特徴とする請求項４に記載の撮像装置。
【請求項６】
前記操作部は、前記メイン電源をＯＮにするボタンである
ことを特徴とする請求項５に記載の撮像装置。
【請求項７】
前記調整手段は、ズームボタンである
ことを特徴とする請求項５に記載の撮像装置。
【請求項８】
前記調整手段は、前記接眼部の移動を検出する接眼部移動検出手段である
ことを特徴とする請求項４に記載の撮像装置。
【請求項９】
前記調整手段は、観察者がファインダーを覗いていることを検出する眼検出手段であることを特徴とする請求項４に記載の撮像装置。
【請求項１０】
前記調整手段は、前記接眼部と物体との距離を検出する距離検出手段である
ことを特徴とする請求項４に記載の撮像装置。
【請求項１１】
前記制御手段は、前記距離検出手段により前記接眼部に対する物体の距離が所定距離であることを検出した時、前記ビューファインダーの移動を停止させる
ことを特徴とする請求項１０に記載の撮像装置。
【請求項１２】
前記調整手段は、前記本体の所定箇所に物体が接触したことを検出する接触検出手段である
ことを特徴とする請求項４に記載の撮像装置。
【請求項１３】
前記制御手段は、前記接触検出手段が前記本体に対する物体の接触を検出しない時、前記ビューファインダーの移動を停止させる
ことを特徴とする請求項１２に記載の撮像装置。
【請求項１４】
前記所定箇所は、前記接眼部である
ことを特徴とする請求項１２または請求項１３に記載の撮像装置。
【請求項１５】
前記第２の所定位置を記憶する記憶手段を備える
ことを特徴とする請求項４乃至請求項１４のいずれか１つに記載の撮像装置。
【請求項１６】
前記制御手段は、前記ビューファインダーを第２の所定位置に移動させた時のみ、前記表示部をＯＮにする
ことを特徴とする請求項４乃至請求項１５のいずれか１つに記載の撮像装置。
【請求項１７】
前記表示部又は前記接眼光学系の少なくとも一部のレンズが移動可能である
ことを特徴とする請求項１乃至請求項１４のいずれか１つに記載の撮像装置。
【請求項１８】
画像表示素子を更に備え、
前記表示部及び前記画像表示素子は、同方向から観察できる（状態を有する）ように配置される
ことを特徴とする請求項１乃至請求項１７のいずれか１つに記載の撮像装置。
【請求項１９】
前記ビューファインダーが以下の条件式（１）を満足する
ことを特徴とする請求項１乃至請求項１８のいずれか１つに記載の撮像装置。
１３ｍｍ＜ＥＰ＜４０ｍｍ                            ・・・（１）
ただし、ＥＰはアイポイント距離であって、該アイポイント距離は、前記接眼光学系の最も前記アイポイント側のレンズ面から前記アイポイントまでの距離[mm]である。
【発明の詳細な説明】
【技術分野】
【０００１】
本発明は、表示部に表示された物体像を観察するためのビューファインダーを有する撮像装置に関する。
【背景技術】
【０００２】
ビューファインダーを引き出し、収納可能な撮像装置が開示されている（特許文献１）。
【特許文献１】特開平５−１１０９１１号公報
【発明の開示】
【発明が解決しようとする課題】
【０００３】
特許文献１に記載された技術では、電源がＯＦＦになってもビューファインダーが引き出されたままの状態で残っていた。また、ビューファインダーの引き出し位置を撮影者ごとに最適な位置に設定することが困難であった。
【０００４】
本発明は従来技術のこれらの問題点に鑑みてなされたものであり、その目的は、使い易さと調整のし易さに優れたビューファインダーを有する撮像装置を提供することである。
【課題を解決するための手段】
【０００５】
上記目的を達成する本発明に係る撮像装置は、本体と、物体像が表示される表示部、前記表示部の像を観察者の眼に導く接眼光学系、及び前記接眼光学系の観察者側に配置される接眼部の３つの部材を少なくとも有するビューファインダーと、前記３つの部材の少なくとも１つを移動させる移動手段と、該移動手段を制御する制御手段を備えた撮像装置であって、前記３つの部材の少なくとも１つは光軸方向に移動可能に構成され、前記制御手段は、前記撮像装置のメイン電源をＯＮにしたとき、前記３つの部材の固定状態を解除し、前記撮像装置のメイン電源をＯＦＦにしたとき、前記３つの部材の少なくとも１つを第１の所定位置に移動させることを特徴とする。
【発明の効果】
【０００６】
本発明によると、使い易さと調整のし易さに優れたビューファインダーを有する撮像装置を得ることができる。
【発明を実施するための最良の形態】
【０００７】
本実施形態の撮像装置について、以下説明する。なお、以下の説明において、アイポイントＥは、観察面Ｄから射出された最軸外の光束がφ４の仮想絞りＳ内をフルに通る位置（仮想絞りＳの位置）のことである。この位置では、最軸外の光束の光束径と、仮想絞りＳの開口部の径（φ４）は略一致している。また、アイポイント距離ＥＰは、観察光学系（接眼レンズ）の最もアイポイント側のレンズ面からアイポイントまでの距離のことである。
【０００８】
本実施形態の撮像装置は、本体と、物体像が表示される表示部、表示部の像を観察者の眼に導く接眼光学系、及び接眼光学系の観察者側に配置される接眼部の３つの部材を少なくとも有するビューファインダーと、３つの部材の少なくとも１つを移動させる移動手段と、移動手段を制御する制御手段を備えている。
【０００９】
ここで、３つの部材の少なくとも１つは、光軸方向に移動可能に構成されている。そし
て、制御手段は、撮像装置のメイン電源をＯＮにしたとき、３つの部材の固定状態を解除し、撮像装置のメイン電源をＯＦＦにしたとき、３つの部材の少なくとも１つを第１の所定位置に移動させる。
【００１０】
メイン電源をＯＦＦにすることで、ビューファインダーを第１の所定の場所に移動させることができるので、使い易い。
【００１１】
また、本実施形態の撮像装置では、第１の所定位置は、本体に対して３つの部材の少なくとも１つを収納させる位置であることが好ましい。
【００１２】
メイン電源をＯＦＦにすることで、３つの部材の少なくとも１つを本体内に格納できるので使い易い。なお、３つの部材全てを移動させると、ビューファインダー全体を本体に収納させることができるので、さらに使い易い。
【００１３】
また、本実施形態の撮像装置では、３つの部材は、一体で光軸方向に移動することが好ましい。
【００１４】
３つの部材が一体で光軸方向に移動するので、３つの部材それぞれの相対位置関係を変更することなく、ビューファインダーを見やすい位置に調整することができる。特に、アイポイントや視度を調整した後であると、より使い易さが向上する。また、電源ＯＦＦ時にもアイポイントや視度を調整した状態で維持することができる。
【００１５】
また、本実施形態の撮像装置は、固定状態が解除された３つの部材を、更に移動させるための調整を行う調整手段を有し、制御手段は、調整手段からの前記信号により、３つの部材を第２の所定位置に移動させることが好ましい。
【００１６】
調整手段によって、ビューファインダーを移動可能から、実際に移動させることができる。なお、調整手段自体の機能をＯＮ・ＯＦＦできるようにしても良い、このようにすると、ビューファインダーを移動可能な状態と移動不可能な状態とに調整できるので、使い易い。
【００１７】
また、本実施形態の撮像装置では、調整手段が、観察者によって操作される操作部であることが好ましい。
【００１８】
操作部の操作をトリガとして、ビューファインダーを第２の所定位置に移動させることができるので使い易い。また、既存の部材を操作部として使用すれば、部品点数が増えないので低コストを実現することができる。
【００１９】
また、本実施形態の撮像装置では、操作部は、メイン電源をＯＮにするボタンであることが好ましい。
【００２０】
メイン電源のＯＮをトリガとして、ビューファインダーを第２の所定位置に移動させることができるので使い易い。
【００２１】
また、本実施形態の撮像装置では、操作部は、ズームボタンボタンであることが好ましい。
【００２２】
ズーム操作をトリガとして、ビューファインダーを第２の所定位置に移動させることができるので使い易い。
【００２３】
また、本実施形態の撮像装置では、調整手段は、接眼部の移動を検出する接眼部移動検出手段であることが好ましい。
【００２４】
接眼部の移動をトリガとして、ビューファインダーを第２の所定位置に移動させることができるので使い易い。
【００２５】
また、本実施形態の撮像装置では、調整手段は、観察者がファインダーを覗いていることを検出する眼検出手段であることが好ましい。
【００２６】
観察者がファインダーを覗くことをトリガとして、ビューファインダーを第２の所定位置に移動させることができるので使い易い。
【００２７】
また、本実施形態の撮像装置では、調整手段は、接眼部と物体との距離を検出する距離検出手段であることが好ましい。
【００２８】
また、本実施形態の撮像装置では、制御手段は、距離検出手段により接眼部に対する物体の距離が所定距離であることを検出した時、ビューファインダーの移動を停止させることが好ましい。
【００２９】
観察者がファインダーを覗くことをトリガとして、ビューファインダーを第２の所定位置に移動させることができるので使い易い。また、接眼部と物体が所定距離であることをトリガとして、ビューファインダーの移動を停止させることができるので使い易い。
【００３０】
また、本実施形態の撮像装置では、調整手段は、本体の所定箇所に物体が接触したことを検出する接触検出手段であることが好ましい。
【００３１】
本体の所定箇所に物体が接触したことをトリガとして、ビューファインダーを第２の所定位置に移動させることができるので使い易い。
【００３２】
また、本実施形態の撮像装置では、制御手段は、接触検出手段が本体に対する物体の接触を検出しない時、ビューファインダーの移動を停止することが好ましい。
【００３３】
ビューファインダーを無駄に移動させないので、省エネルギを実現することができる。
【００３４】
また、本実施形態の撮像装置では、所定箇所は、接眼部であることが好ましい。
【００３５】
接眼部に物体が接触したことをトリガとして、ビューファインダーを第２の所定位置に移動することができるのでさらに使い易い。
【００３６】
また、本実施形態の撮像装置は、第２の所定位置を記憶する記憶手段を備えることが好ましい。
【００３７】
一度記憶することで、自動的に所定位置に移動するので、使い易い。
【００３８】
また、本実施形態の撮像装置では、制御手段は、ビューファインダーを第２の所定位置に移動させた時のみ、表示部をＯＮにすることが好ましい。
【００３９】
ビューファインダーを使用しない時には表示部をＯＦＦとするので、省エネルギを実現することができる。
【００４０】
また、本実施形態の撮像装置では、表示部又は接眼光学系の少なくとも一部のレンズを移動可能とすることが好ましい。
【００４１】
アイポイントを変更することなく、視度調整をすることができる。
【００４２】
また、本実施形態の撮像装置は画像表示素子を更に備え、表示部及び画像表示素子は、同方向から観察できる状態を有するように配置されることが好ましい。
【００４３】
表示部又は画像表示部のうち観察しやすい方を使用することができるので使い易い。
【００４４】
また、本実施形態の撮像装置では、ビューファインダーが以下の条件式（８）を満足することが好ましい。
１３ｍｍ＜ＥＰ＜４０ｍｍ                            ・・・（８）
ただし、ＥＰはアイポイント距離であって、該アイポイント距離は、前記接眼光学系の最も前記アイポイント側のレンズ面から前記アイポイントまでの距離［ｍｍ］である。
【００４５】
条件式（８）の下限の１３を下回ると、アイポイントに最も近い正レンズにおいて、中心光束と周辺光束とが分離しない。この場合、中心性能と周辺性能の両立が困難となるので好ましくない。
【００４６】
条件式（８）の上限の４０を上回ると、アイポイントに最も近い正レンズが大きくなると共に、周辺光束に対する収差発生が大きくなるので好ましくない。
【００４７】
以下、撮像装置について図面を用いて説明する。
【００４８】
図１は、実施形態に係る撮像装置Ｃを示す図である。撮像装置Ｃは、本体Ｃ１と、この本体Ｃ１に備えられえたビューファインダーＶとを有する。なお、Ｄは画像表示素子であって、液晶表示素子ＬＣＤと同方向から観察できる位置に配置されている。ただし、画像表示素子Ｄは必ずしも必要ではない。
【００４９】
ビューファインダーＶは少なくとも３つの部材を備えている。３つの部材とは、液晶表示素子ＬＣＤと、接眼光学系Ｏと、接眼部Ｐである。ここで、液晶表示素子ＬＣＤは表示部であって、この液晶表示素子ＬＣＤには物体の像が表示される。また、接眼光学系Ｏは、液晶表示素子ＬＣＤに表示された画像を観察者の眼に導く光学系である。また、接眼部Ｐは観察者が覗く部分であって、接眼光学系Ｏの観察者側に配置されている。
【００５０】
このビューファインダーＶは、図１（ａ）に示す収納位置（第１の所定の位置）から、図１（ｂ）に示すような使用位置（第２の所定の位置）に移動することができる。収納位置では、撮像装置本体Ｃ１に対して、接眼部Ｐが接触した状態になっている。また、使用位置では、撮像装置本体Ｃ１に対して、接眼光学系Ｏの一部と接眼部Ｐが引き出された状態になっている。
【００５１】
このような撮像装置Ｃにおいて、ビューファインダーＶは、メイン電源をＯＮにしたとき、光軸方向に移動可能な状態になる。すなわち、３つの部材（液晶表示素子ＬＣＤ、接眼光学系Ｏ及び接眼部Ｐ）は、いずれも位置が固定された状態が解除されている。ただし、この時点では（メイン電源のＯＮと同時に）、３つの部材の移動が開始されるわけではない。
【００５２】
一方、メイン電源をＯＦＦにしたとき、３つの部材の少なくとも１つは、収納位置に移動する。どの部材が移動するかは、使用状態になるときに移動したか否かによって決まる
。
【００５３】
なお、本実施形態では、接眼光学系Ｏの一部のレンズ間隔を変更することで引き出し状態となる構成としているが、液晶表示素子ＬＣＤ、接眼光学系Ｏ及び接眼部Ｅの間隔を変更することで引き出し状態となる構成としてもよい。
【００５４】
また、図２に示すように、ビューファインダーＶの３つの部材（液晶表示素子ＬＣＤ、接眼光学系Ｏ及び接眼部Ｐ）は、一体で光軸方向に移動するように構成してもよい。その際、例えば、ビューファインダーＶを、メイン電源ＯＮで光軸方向に移動可能とし、メイン電源ＯＦＦで、図２（ｂ）に示す引き出し状態から図２（ａ）に示すような収納位置（第１の所定位置）に移動させると好ましい。
【００５５】
図３は、本発明に係るビューファインダーＶの移動に関わる撮像装置Ｃのシステムブロック図である。
【００５６】
図３に示すように、撮像装置Ｃは、制御手段６０とビューファインダー移動手段Ｖａを基本構成として備えている。なお、この基本構成に加えて、撮像装置Ｃは、調整手段５０や記憶手段６１を有しても良い。撮像装置Ｃが調整手段５０を備えている場合、調整手段５０からの信号（情報）をトリガとして、制御手段６０がビューファインダー駆動手段Ｖａを制御するようにすることができる。
【００５７】
調整手段５０としては、操作部としてのズームボタン５１、接眼部移動検出手段５２、眼検出手段５３、距離検出手段５４及び接触検出手段５５等がある。なお、操作部としては、上述のメイン電源をＯＮにするボタンもある。調整手段５０はそれぞれ別々に作動しても良いし、相互に関連して作動できるものは関連して作動しても良い。
【００５８】
ズームボタン５１はズーム調整の際に使用する既存のボタンでよい。なお、ズームボタン５１は、本来ズームを操作するためのボタンである。よって、ズームボタン５１の操作が、本来の動作の実行を要求するものか否かを区別する必要がある。そこで、例えば、ズームボタン５１を２回続けて押した（操作した）場合は、調整手段５０として作動するようにしておく。このように、ボタンの操作と実行される動作の関係を、あらかじめ設定しておくことが好ましい。
【００５９】
接眼部移動検出手段５２は、接眼部Ｐの移動を検出するものである。なお、収納状態から引き出されたことのみを検出するものでもよい。
【００６０】
眼検出手段５３は、観察者がファインダーを覗いていることを検出するもので、例えば、観察者の瞳を検出するもの等が好ましい。
【００６１】
距離検出手段５４は、接眼部Ｐと、物体、特に観察者との距離を検出するものである。
【００６２】
接触検出手段５５は、本体Ｃ１の所定箇所に物体が接触したことを検出するものである。例えば、接眼部Ｐに観察者の顔が接触した場合や、接眼部Ｐ下方の本体Ｃ１に観察者の鼻が接触した場合等を検出するものが好ましい。
【００６３】
記憶手段６１は、収納位置（第１の所定位置）や使用位置（第２の所定位置）等を予め記憶しておくものである。
【００６４】
ビューファインダー移動手段Ｖａは、ビューファインダーＶ全体を一体で移動させるものである。３つの部材を個々に移動させない場合、ビューファインダー移動手段Ｖａは、
１つの移動機構を有する。
【００６５】
一方、３つの部材を個々に移動させることもできる。この場合、ビューファインダー移動手段Ｖａは、表示素子移動手段ＬＣＤａ、接眼光学系移動手段Ｏａ及び接眼部移動手段Ｐａを備える。表示素子移動手段ＬＣＤａ、接眼光学系移動手段Ｏａ及び接眼部移動手段Ｐａは、それぞれ表示素子ＬＣＤ，接眼光学系Ｏ及び接眼部Ｐを移動させるものである。
【００６６】
なお、ビューファインダー移動手段Ｖａは、１つの移動手段で２つの部材を移動させるようにしても良い。また、ビューファインダー移動手段Ｖａは、３つの部材を個々に移動させる移動手段と、３つの部材全部を同時に移動する手段を備えていても良い。
【００６７】
次に、ビューファインダーの移動を制御するための実施形態について説明する。
【００６８】
図４は、第１実施形態を示すもので、メイン電源のＯＮをトリガとして、ビューファインダーＶを使用位置（第２の所定位置）に移動させるものである。この使用位置は、記憶手段６１に予め記憶していた位置とすることができる。メイン電源をＯＮする前は、図４（ａ）に示すように、ビューファインダーＶは収納位置（第１の所定位置）にある。この位置では、ビューファインダーＶは撮像装置本体Ｃ１内に収納された状態になっている。
【００６９】
このような状態で、メイン電源がＯＮされると、ビューファインダーＶにおいて、３つの部材は固定された状態が解除され、各部材は移動可能な状態になる。ここで、例えば、調整手段が、メイン電源をＯＮにするボタンであったとする。この場合、メイン電源がＯＮされると同時に、図４（ｂ）に示すように、各部材は使用位置に自動的に移動する。このように、本実施形態によれば、使用者は、使用時にビューファインダーＶを手動で引き出したり、位置を調整したりする必要がなくなる。よって、撮像装置の使い易さが向上する。
【００７０】
図５は、第２実施形態を示すもので、調整手段をトリガとして、ビューファインダーＶを使用位置に移動させるものである。
【００７１】
メイン電源ＯＮ前は、図５（ａ）に示すように、ビューファインダーＶは撮像装置本体Ｃ１に収納された収納位置にある。このとき、３つの部材の位置は固定されている。この状態でメイン電源がＯＮされる。本実施形態では、メイン電源をＯＮにするボタンは、調整手段を兼用していない。そのため、メイン電源がＯＮされても調整手段が作動しないので、図５（ｂ）に示すように、ビューファインダーＶは撮像装置本体Ｃ１に収納された状態である。ただし、３つの部材の位置は固定が解除され、３つの部材は移動可能な状態になっている。続いて調整手段が作動されると、図５（ｃ）に示すように、ビューファインダーＶは使用位置に移動する。このように構成することにより、観察者の動作によりビューファインダーＶを使用位置に移動させることができ、使い易くなる。
【００７２】
図６は、第２実施形態の実施例１のビューファインダー移動制御のフローチャートを示す図である。実施例１は、調整手段５０として操作部、特にズームボタン５１を適用したものである。実施例１では、ズームボタン５１に対して、予め異なる２つの操作が設定されている。そして、一方の操作に対してはズームの実行が割り当てられ、他方の操作に対してはビューファインダーＶの移動が割り当てられているものとする。
【００７３】
まず、ステップ１で、ズームボタン５１において他方の操作がされたか否か判断する（ＳＴ１）。ステップ１において、他方の操作がされたと判断された場合、ステップ２で、ビューファインダーＶを移動する（ＳＴ２）。
【００７４】
続いて、ステップ３でビューファインダーＶが記憶手段６１の記憶した第２の所定位置か否か判断する（ＳＴ３）。ステップ３において、ビューファインダーＶが第２の所定位置であると判断した場合、ステップ４で、ビューファインダーを停止し（ＳＴ４）、制御を終了する。
【００７５】
ステップ１の処理において、ズームボタン５１が操作されていない場合、ステップ４で、ビューファインダーを停止し（ＳＴ４）、制御を終了する。
【００７６】
図７は、第２実施形態の実施例２のビューファインダー移動制御のフローチャートを示す図である。実施例２は、調整手段５０として接眼部移動検出手段５２を適用したものである。
【００７７】
まず、ステップ１１で、接眼部移動検出手段５２により接眼部Ｐが移動したか否か判断する（ＳＴ１１）。ステップ１１において、接眼部Ｐが移動したと判断された場合、ステップ１２で、ビューファインダーＶを移動する（ＳＴ１２）。
【００７８】
続いて、ステップ１３でビューファインダーＶが記憶手段６１の記憶した第２の所定位置か否か判断する（ＳＴ１３）。ステップ１３において、ビューファインダーＶが第２の所定位置であると判断した場合、ステップ１４で、ビューファインダーを停止し（ＳＴ１４）、制御を終了する。
【００７９】
ステップ１１において、接眼部Ｐが移動していないと判断された場合、ステップ１４で、ビューファインダーを停止し（ＳＴ１４）、制御を終了する。
【００８０】
図８は第２実施形態の実施例３のビューファインダー移動制御のフローチャートを示す図、図９は実施例３のビューファインダーの状態を示す図である。実施例３は、調整手段５０として眼検出手段５３を適用したものである。
【００８１】
まず、ステップ２１で、図９（ａ）に示すように、ビューファインダーＶが収納位置にある状態で、眼検出手段５３により観察者の眼を検出したか否か判断する（ＳＴ２１）。ステップ２１において、観察者の眼を検出したと判断された場合、ステップ２２で、図９（ｂ）に示すように、ビューファインダーＶを移動する（ＳＴ２２）。
【００８２】
続いて、ステップ２３で、距離検出手段５４の検出したビューファインダーＶの接眼部Ｐと観察者の顔の一部の距離が所定距離か否か判断する（ＳＴ２３）。ステップ２３において、接眼部Ｐと観察者の顔が所定距離であると判断した場合、ステップ２４で、ビューファインダーを停止し（ＳＴ２４）、制御を終了する。
【００８３】
ステップ２１において、接眼部Ｐが移動していないと判断された場合、ステップ２４で、ビューファインダーを停止し（ＳＴ２４）、制御を終了する。
【００８４】
なお、実施例３では、ステップ２３でビューファインダーＶの接眼部Ｐと観察者の顔が所定距離か否か判断したが、これに代えて、ビューファインダーＶが記憶手段６１の記憶した第２の所定位置か否か判断する構成としてもよい。その際、ビューファインダーＶが第２の所定位置であると判断した場合、ビューファインダーを停止し、制御を終了する。
【００８５】
図１０は第２実施形態の実施例４のビューファインダー移動制御のフローチャートを示す図、図１１は実施例４のビューファインダーの状態を示す図である。実施例４は、調整手段５０として接触検出手段５５を適用したものである。
【００８６】
まず、ステップ３１で、図１１（ａ）に示すように、ビューファインダーＶが収納位置にある状態で、接触検出手段５５により撮像装置本体Ｃ１の一部が観察者、例えば鼻に接触しているか否か判断する（ＳＴ３１）。ステップ３１において、撮像装置本体Ｃ１の一部が観察者に接触していると判断された場合、ステップ３２で、図１１（ｂ）に示すように、ビューファインダーＶを移動し（ＳＴ３２）、ステップ３１に戻る。
【００８７】
ステップ３１において、図１１（ｃ）に示すように、撮像装置本体Ｃ１の一部が観察者に接触していないと判断された場合、ステップ３３で、ビューファインダーＶを停止する（ＳＴ３３）。
【００８８】
図１２は、接眼光学系の第１実施例の光学構成を示す光軸に沿う断面図である。第１実施例の接眼光学系は、第１実施形態の電子ビューファインダーに用いることが可能である。
【００８９】
第１実施例の電子ビューファインダーは、物体像が表示される液晶表示素子ＬＣＤと、観察光学系Ｏを備えている。なお、図１２において、Ｅはアイポイント（仮想絞り）である。
【００９０】
第１実施例の接眼光学系は、液晶表示素子ＬＣＤ側より順に、前群としての前レンズ成分Ｌｆと、後群としての後レンズ成分Ｌｒとで構成されている。ここで、前レンズ成分Ｌｆは、両凹負レンズと両凸正レンズの接合レンズからなる。後レンズ成分Ｌｒは両凸正レンズからなる。
【００９１】
図１３は、接眼光学系の第２実施例の光学構成を示す光軸に沿う断面図である。第２実施例の接眼光学系は、第２実施形態乃至第４実施形態の電子ビューファインダーに用いることが可能である。
【００９２】
第２実施例の電子ビューファインダーは、物体像が表示される液晶表示素子ＬＣＤと、観察光学系Ｏと、照明光学系Ｐを備えている。なお、図１３において、Ｅはアイポイント（仮想絞り）である。
【００９３】
観察光学系Ｏは、反射型表示素子ＬＣＤ側より順に、両前群としての第１レンズ成分Ｌ１と、光学素子Ｏｄと、後群としての第２レンズ成分Ｌ２とで構成されている。ここで、第１レンズ成分Ｌ１は、両凹負レンズと両凸正レンズの接合レンズからなる。光学素子Ｏｄは平行平板であって、例えばハーフミラーである。第２レンズ成分Ｌ２は、両凸正レンズからなる。
【００９４】
この光学素子Ｏｄは、光学面（ハーフミラー面）が、接眼光学系の光軸に対して４５度の傾きを持つように配置されている。これにより、接眼光学系の光路に対して直交する光路が形成される。この光路は、照明光学系Ｐの光路である。照明光学系の光路には、照明光学系Ｐと光源が配置されている。
【００９５】
光学素子Ｏｄから反射型表示素子ＬＣＤまでの間の光路では、照明光が光学素子Ｏｄから反射型表示素子ＬＣＤに向かって進行する。また、この光路では、観察光が、反射型表示素子ＬＣＤから照明光が光学素子Ｏｄに向かって進行する。このように、光学素子Ｏｄは、光源から出射した光で反射型表示素子ＬＣＤを照明する照明光学系Ｐの光路と反射型表示素子ＬＣＤから観察光学系Ｏへの光路とを重ねる作用を持つ。
【００９６】
第２実施例では、最もアイポイント側の正レンズを移動させる構成となっている。図１３（ａ）は視度１ｍ-1の場合、図１３（ｂ）は視度−１ｍ-1の場合、図１３（ｃ）は視度
−３ｍ-1の場合を示す。
【００９７】
なお、第１及び第２実施例では、仮想絞りとしてアイポイントＥを適用して説明したが、必ずしも仮想絞りの位置とアイポイント位置Ｅが一致する必要はない。
【００９８】
以下に、上記実施例１及び実施例２の数値データを示す。また各条件式の値もまとめて示す。
【００９９】
これら実施例の数値データ及び各条件式の値は、ｒは各レンズ面の曲率半径、ｄは各レンズ面間の間隔、ｎは各レンズのｄ線の屈折率、νは各レンズのアッベ数である。また、像面のｒはそれぞれの曲率半径である。
【０１００】
数値実施例１
単位     ｍｍ
面データ
面番号                  ｒ         ｄ        ｎｄ      νｄ    有効径
1（観察面)           ∞        可変                         17.74
2                 -89.444      1.50     1.80518    25.42    17.72
3                  18.127      7.97     1.51633    64.14    18.09
4                 -18.300     19.07                         19.06
5                  50.973      6.64     1.48749    70.23    16.89
6                 -28.519      可変                         16.05
7（仮想絞り）        ∞
変化量
視度(m-1)        +1       -1       -3 
d1           7.12     5.22     3.42 
d8          21.10    23.00    24.80 
各種データ
視度(m-1)        +1       -1       -3 
視野角          32.64°  32.90°  32.98°
全長            42.30    40.40    38.60 
入射瞳位置     183.06   272.67   513.20 
焦点距離            30.7
前側主点位置      24.53 
後側主点位置      -2.16 
物体高             8.88
各レンズ焦点距離
前レンズ成分              141.18
前レンズ成分負レンズ      -18.60
前レンズ成分正レンズ       19.06
後レンズ成分               38.57
【０１０１】
数値実施例２
単位     ｍｍ
面データ
面番号                  ｒ         ｄ        ｎｄ      νｄ    有効径
1（反射型表示素子)   ∞        5.22                         17.74
2                 -89.444      1.50     1.80518    25.42    17.72
3                  18.127      7.97     1.51633    64.14    18.09
4                 -18.300      可変                         19.06
5                  50.973      6.64     1.48749    70.23    16.89
6                 -28.519      可変                         16.05
7（仮想絞り）        ∞
変化量
視度(m-1)        +1       -1       -3 
d4          22.07    19.07    16.17 
d6          21.10    24.00    26.90 
各種データ
視度(m-1)        +1       -1       -3 
視野角          31.90°  32.88°  33.32°
全長            38.18    35.18    32.28 
入射瞳位置     132.90   206.80   512.31 
焦点距離        31.23    30.70    30.21
前側主点位置     8.35     8.48     8.51
後側主点位置    38.18    35.18    32.28
物体高           8.88
各レンズ焦点距離
第１レンズ成分              141.18
第１レンズ成分中負レンズ    -18.60
第１レンズ成分中正レンズ     19.06
第２レンズ成分               38.57
【０１０２】
実施例１      実施例２
条件式 (１)       23.00         23.00
【０１０３】
以上の実施例１及び実施例２の収差図を図１４及び図１５に示す。この収差図において、ＳＡは球面収差、ＡＳは非点収差、ＤＴは歪曲収差、ＤＺＹはコマ収差を示す。各図中、ＦＮＯはＦナンバー、ＦＩＹは像高を示す。
【０１０４】
図１６は、本発明の撮像装置の一例であるデジタルカメラの構成を示す図である。図１６において、符号１０は撮像装置であるデジタルカメラで、撮像光学系１と、フィルター２と、撮像素子３と、コントローラー４と、内蔵メモリー５と、電子ビューファインダー６と、インターフェイス７とより構成されている。
【０１０５】
上記撮像装置において、撮像光学系１は複数の光学素子（レンズ等）にて構成されている。物体より発した光は、この撮像光学系１により集光され、この集光位置に物体像が形成される。そして、この集光位置には、ＣＣＤ等の撮像素子３（受光面）が配置されてい
る。撮像素子３は、規則正しく配置された光電変換素子の集まりよりなっている。また、モアレ現象の発生を防止するために、ローパス効果を持つフィルター２が撮像光学系１と撮像素子３の間に配置されている。また、赤外光をカットするための赤外カットフィルターを配置することもある。
【０１０６】
撮像素子３に入射した光束は、その光電変換素子により電気信号（画像信号）に変換される。この電気信号は、コントローラー４に入力される。ここで、コントローラー４により、ガンマー補正や画像圧縮処理等の信号処理が電気信号に対して行なわれる。信号処理が施された電気信号は、内蔵メモリー５やインターフェイス７を介してパーソナルコンピューター９等に出力される。
【０１０７】
電子ビューファインダー６は、照明系、画像表示素子（図７には示していない）及び接眼光学系（接眼レンズ）等で構成されている。ここで、接眼光学系には、上記実施例の接眼光学系Ｏが用いられている。また、画像表示素子としては、上記実施例の反射型表示素子が用いられている。この画像表示素子は、コントローラー４によって制御されている。このような構成により、電子ビューファインダー６では、撮像しようとする物体の像や撮像された画像を観察者が観察し得るようになっている。また、内蔵メモリー５から補助メモリー８へ画像データを送ることできる。一方、インターフェイス７からは同じ画像データをパーソナルコンピューター９へ送ることができる。
【０１０８】
図１７は、本発明の撮像装置を銀塩カメラに適用した場合の構成を示すものである。図１７に示すように、銀塩カメラ２０は、撮像光学系１１と、フィルム１２と、対物レンズ１３と、ＣＣＤ等の撮像素子１４と、第１のコントローラー１５と、他の第２のコントローラー１６とを有する。そしてさらに、図１６のデジタルカメラと同様に、内蔵メモリー５と、電子ビューファインダー６とを備えている。なお、図示されているように、撮像光学系１１と対物レンズ１３とは、別の異なる光学系である。
【０１０９】
この図１７に示す銀塩カメラ２０では、物体からの光束は撮像光学系１１により集光され、この集光位置（第１集光位置）に物体像が形成される。第１集光位置には、フィルム１２が配置されている。また、物体より発した光束は、対物レンズ１３により集光され、この集光位置（第２集光位置）に物体像が形成される。この第２集光位置には、ＣＣＤ等の撮像素子１４が配置されている。撮像素子１４は、規則正しく配置された光電変換素子の集まりよりなっている。
【０１１０】
この撮像素子１４に入射した光束は、光電変換素子にて電気信号（画像信号）に変換される。この電気信号は、第１のコントローラー１５に入力される。この第１のコントローラー１５により、ガンマー補正や画像圧縮処理等の信号処理が行なわれる。信号処理が施された電気信号は、画像表示素子へ送られる。上述のように、電子ビューファインダー６は、照明系、画像表示素子及び接眼光学系（接眼レンズ）等で構成されている。接眼光学系には、本実施形態の接眼光学系Ｏが用いられている。この電子ビューファインダー６を介して、撮像しようとする物体の像を撮像者は観察し得る。
【０１１１】
一方、内蔵メモリー５に蓄積された情報等を用いて、撮像で得られた画像を使用者（観察者）は観察し得る。このような制御は、第１のコントローラー１５により行なわれる。
【０１１２】
また、撮像光学系１１を制御するためのものとして、第２のコントローラー１６を備えている。第２のコントローラー１６は、撮像光学系１１に対してズーミングやフォーカシング等の動作を行わせる。ズーミングやフォーカシング等の情報は、この第２のコントローラー１６からの信号を基に第１のコントローラー１５にて認識される。第１のコントローラー１５は、この認識により、画像表示素子に表示する像を撮像画角（ズーミング）に
合わせて調節し得る。また、フォーカシング等の情報に基づいて、画像表示素子に表示される像の範囲の補正（パララックス補正）を行なうようにしてもよい。また、第１のコントローラー１５よりの信号は、内蔵メモリー５や図示してないインターフェイスへ送られるようにしても良い。そして、これらの信号（情報）をインターフェイスを介してパーソナルコンピューター等に出力するようにしてもよい。
【０１１３】
また、撮像光学系１１とフィルム１２の間に光路分割素子を配置しても良い。この光路分割素子を介して物体からの光束をファインダー用に導き、撮像素子１４に物体の像を形成しても良い。そして、この物体像を基に観察を行なうようにしてもよい。この場合、対物レンズ１３を用いる必要が無い。
【図面の簡単な説明】
【０１１４】
【図１】本発明の実施形態に係る撮像装置の本体に備えたビューファインダーを示す図である。
【図２】一体に移動するビューファインダーを示す図である。
【図３】本発明に係るビューファインダーの移動に関わる撮像装置のシステムブロック図である。
【図４】本発明の第１実施形態を示す図である。
【図５】本発明の第２実施形態を示す図である。
【図６】本発明の第２実施形態の実施例１のフローチャートを示す図である。
【図７】本発明の第２実施形態の実施例２のフローチャートを示す図である。
【図８】本発明の第２実施形態の実施例３のフローチャートを示す図である。
【図９】本発明の第２実施形態の実施例３のビューファインダーの状態を示す図である。
【図１０】本発明の第２実施形態の実施例４のフローチャートを示す図である。
【図１１】本発明の第２実施形態の実施例４のビューファインダーの状態を示す図である。
【図１２】本発明に係る接眼光学系の実施例１を示す図である。
【図１３】本発明に係る接眼光学系の実施例２を示す図である。
【図１４】実施例１の接眼光学系の収差図である。
【図１５】実施例２の接眼光学系の収差図である。
【図１６】本発明の撮像装置の一例であるデジタルカメラの構成を示す図である。
【図１７】本発明の撮像装置を銀塩カメラに適用した場合の構成を示す図である。
【符号の説明】
【０１１５】
１…撮像光学系
２…フィルター
３…撮像素子
４…コントローラー
５…内蔵メモリー
６…電子ビューファインダー
７…インターフェイス
８…補助メモリー
９…パーソナルコンピューター
１０…デジタルカメラ
１１…撮像光学系
１２…フィルム
１３…対物レンズ
１４…撮像素子
１５…第１のコントローラー
１６…第２のコントローラー
２０…銀塩カメラ
【図１】
2009284122.tif 000003
【図２】
2009284122.tif 000004
【図３】
2009284122.tif 000005
【図４】
2009284122.tif 000006
【図５】
2009284122.tif 000007
【図６】
2009284122.tif 000008
【図７】
2009284122.tif 000009
【図８】
2009284122.tif 000010
【図９】
2009284122.tif 000011
【図１０】
2009284122.tif 000012
【図１１】
2009284122.tif 000013
【図１２】
2009284122.tif 000014
【図１３】
2009284122.tif 000015
【図１４】
2009284122.tif 000016
【図１５】
2009284122.tif 000017
【図１６】
2009284122.tif 000018
【図１７】
2009284122.tif 000019